(57)【要約】【課題】デジタル放送におけるコマーシャル番組の視聴により、視聴者は有益な情報を得ることが出来、それにより、番組提供者は視聴者にコマーシャル番組を確実に視聴させることが出来るデジタル放送受信装置を提供する。【解決手段】放送手段からのデジタル放送のトランスポートストリーム信号３０に、特にコマーシャル番組を視聴することによりメリットが得られる情報をダウンロードデータ１０３として付加して放送し、放送された情報を欧州等で有料放送の限定受信のためにTS信号３０をデジタル放送用受信装置の外部に取り出すためのコモンインターフィス２９を用いて取り出し、コマーシャル番組のダウンロードデータ１０３によって、視聴者に有益な情報を得ることが出来る。【選択図】図７
2007295225.tif 000002
【特許請求の範囲】
【請求項１】
デジタル放送のコマーシャル番組を受信するデジタル放送用受信装置であって、
映像情報、音声情報、文字情報、そしてこれらの情報を組み合わせるための制御情報を有し、コマーシャル番組を含むトランスポートストリーム信号に、前記コマーシャル番組を視聴することにより視聴者に有益な情報をダウンロードデータとして付加して放送するデジタル放送を受信する際に、放送された視聴者に有益な情報を、有料放送の限定受信のためにトランスポートストリーム信号を装置外部に取り出すためのコモンインターフェースを備え、コマーシャル番組のダウンロードデータによって、視聴者に有益な情報を与える情報源復号化部を具備することを特徴とするデジタル放送用受信装置。
【請求項２】
前記情報源復号化部は、前記コモンインターフェースを通じて前記視聴者に有益な情報を蓄積するためのメモリを有するカードと、前記コモンインターフェースを通じて前記視聴者に有益な情報を前記メモリに蓄積させ、前記メモリに蓄積された前記視聴者に有益な情報を取り出すコンピュータとを具備する請求項１に記載のデジタル放送用受信装置。
【請求項３】
デジタル放送のコマーシャル番組を受信するデジタル放送受信方法であって、
映像情報、音声情報、文字情報、そしてこれらの情報を組み合わせるための制御情報を有し、コマーシャル番組を含むトランスポートストリーム信号に、前記コマーシャル番組を視聴することにより視聴者に有益な情報をダウンロードデータとして付加して放送を受信する際に、放送された視聴者に有益な情報を、有料放送の限定受信のためにトランスポートストリーム信号をコモンインターフェースにより装置外部に取り出すことで、前記コマーシャル番組の前記ダウンロードデータによって、前記視聴者に有益な情報を与えることを特徴とするデジタル放送受信方法。
【請求項４】
コンピュータの指令により、前記コモンインターフェースを通じて前記視聴者に有益な情報をカードのメモリに蓄積して、前記メモリに蓄積された前記視聴者に有益な情報を取り出す請求項３に記載のデジタル放送受信方法。
【発明の詳細な説明】
【技術分野】
【０００１】
本発明は、デジタル放送用受信装置及びデジタル放送受信方法に関し、特にデジタル放送の受信をする際にコマーシャル番組に付随させたダウンロードデータを受信、蓄積、再生することにより、視聴者に有用な情報を得ることが出来るデジタル放送受信に関する。
【背景技術】
【０００２】
近年、映像情報や音声情報、文字情報がデジタル化され、デジタル放送として放送する放送局が現れるようになってきた。このようなデジタル放送局においては、視聴者が視聴する番組のコンテンツと、その番組を制御する制御情報を放送局より放送し、放送された番組を視聴者がデジタル放送用受信装置によって受信したり、ＤＶＣＲ（デジタルＶＴＲ）やＨＤＤ（ハードディスクドライブ）などにより記録媒体に記録したりすることが可能となった。一方、番組を提供する放送局では、所定の商品を宣伝するコマーシャル番組を視聴者に提供して商品を宣伝することにより、宣伝する商品を提供する製造者や販売者から、その対価を受け取っている。これにより、視聴者は、コマーシャル番組を視聴することにより無料で放送された番組を視聴することが可能となった（特許文献１参照）。
【特許文献１】特開２００２−３３５４６４号公報
【発明の開示】
【発明が解決しようとする課題】
【０００３】
しかしながら、視聴者は、コマーシャル番組が開始されると、トイレに行ってしまったり、チャネルを切り替えて別の番組に切り替えて視聴しないことがある。また、記録装置に番組に記録している場合には、コマーシャル番組の部分をカットして編集してしまうことが多く、コマーシャル番組で商品の宣伝を視聴者に確実に伝えることが難しくなってきた。従来の方式では、映像信号、音声信号ともにコマーシャル番組とは異なるＭＰＥＧ−２のストリームであり、容易に見分けがつき易く、コマーシャル番組の部分だけ除去されてしまうことが多かった。また、従来技術ではコマーシャル番組を視聴してもその提供する企業の商品の情報を得られるだけであり、視聴者から見ると同じ内容のものが何度も放送されており、視聴してもメリットが少なかった。
【０００４】
そこで、本発明は、上記課題を解消するために成されたものであり、デジタル放送におけるコマーシャル番組の視聴により、視聴者は有益な情報を得ることが出来、それにより、番組提供者は視聴者にコマーシャル番組を確実に視聴させることが出来るデジタル放送受信装置およびデジタル放送受信方法を提供することを目的としている。
【課題を解決するための手段】
【０００５】
本発明は、デジタル放送のコマーシャル番組を受信するデジタル放送用受信装置であって、映像情報、音声情報、文字情報、そしてこれらの情報を組み合わせるための制御情報を有し、コマーシャル番組を含むトランスポートストリーム信号に、前記コマーシャル番組を視聴することにより視聴者に有益な情報をダウンロードデータとして付加して放送するデジタル放送を受信する際に、放送された視聴者に有益な情報を、有料放送の限定受信のためにトランスポートストリーム信号を装置外部に取り出すためのコモンインターフェースを備え、コマーシャル番組のダウンロードデータによって、視聴者に有益な情報を与える情報源復号化部を具備することを特徴とする。
【０００６】
また、本発明は、前記情報源復号化部は、前記コモンインターフェースを通じて前記視聴者に有益な情報を蓄積するためのメモリを有するカードと、前記コモンインターフェースを通じて前記視聴者に有益な情報を前記メモリに蓄積させ、前記メモリに蓄積された前記視聴者に有益な情報を取り出すコンピュータとを具備するデジタル放送用受信装置である。
【０００７】
そして、本発明は、デジタル放送のコマーシャル番組を受信するデジタル放送受信方法であって、映像情報、音声情報、文字情報、そしてこれらの情報を組み合わせるための制御情報を有し、コマーシャル番組を含むトランスポートストリーム信号に、前記コマーシャル番組を視聴することにより視聴者に有益な情報をダウンロードデータとして付加して放送を受信する際に、放送された視聴者に有益な情報を、有料放送の限定受信のためにトランスポートストリーム信号をコモンインターフェースにより装置外部に取り出すことで、前記コマーシャル番組の前記ダウンロードデータによって、前記視聴者に有益な情報を与えることを特徴とする。
【０００８】
更に、本発明は、コンピュータの指令により、前記コモンインターフェースを通じて前記視聴者に有益な情報をカードのメモリに蓄積して、前記メモリに蓄積された前記視聴者に有益な情報を取り出すデジタル放送受信方法である。
【発明の効果】
【０００９】
本発明のデジタル放送受信機によれば、デジタル放送におけるコマーシャル番組の視聴により、視聴者は有益な情報を得ることが出来、それにより、番組提供者は視聴者にコマーシャル番組を確実に視聴させることが出来る。
【発明を実施するための最良の形態】
【００１０】
以下図面を参照しながら、本発明の好ましい実施形態を説明する。図１は、本発明のデジタル放送用受信装置の好ましい実施形態における基本構成を示している。図１のデジタル放送用受信装置において、衛星放送（ＢＳ／ＣＳデジタル放送）を受信する場合には、衛星放送は衛星放送アンテナ１で受信され、コンバーター回路２により周波数変換を行なった後、デコーダ回路３にＲＦ信号を入力する。一般的に衛星放送アンテナ１とコンバーター２は一体化されている。
【００１１】
図１のデジタル放送用受信装置において、地上デジタル放送を受信する場合には、地上デジタル放送は地上受信アンテナ５で受信され、ＲＦケーブルを経て、デコーダ回路３にＲＦ信号を入力する。そして、デコーダ回路３は、ＨＤＴＶ（ハイビジョンテレビ）、ＳＤＴＶ（通常のテレビ）４やＤＶＣＲ（デジタルＶＴＲ）、ＨＤＤ（ハードディスクドライブ）、パソコン（パーソナルコンピューター）、ゲーム機６などに、データを送る。
【００１２】
図２は、図１のデコーダ回路３の基本構成を示す。図２において、衛星放送アンテナ１からの衛星デジタル放送の場合は、コンバーター回路２から入力される衛星デジタル放送のＲＦ信号は、チューナ部１０で選択されたチャネルの選局と直交検波を行う。そして、復調・復号回路１１ではチューナ部１０からの信号を８ＰＳＫ復調・復号を行い、ＴＭＣＣ復号回路１２ではチューナ部１０からの信号からＴＭＣＣ部を取り出して、システム識別、伝送パラメータの切替、緊急警戒放送起動フラッグなどのデータを復号する。デインターリーブ回路１３では、フレーム分離やデスクランブルなどを行う。次のリードソロモン復号回路１４では、伝送路で発生したエラーを訂正して放送局から送信された状態と同じエラーの無いトランスポートストリーム信号（以下ＴＳ信号）３０に戻す。ＴＳ再生回路１９以降は、情報源復号化部５０でＴＳ信号３０のデコードを行う。
【００１３】
一方、図２において、地上受信アンテナ５からの地上デジタル放送の場合は、衛星デジタル放送の場合と同様にチューナ部１５で選局と検波を行い、復調・復号回路１６にて、地上デジタル放送の伝送路符号化方式である６４ＱＡＭ，１６ＱＡＭに変調された信号の復調・復号を行う。また、ＴＭＣＣ復号回路１７ではチューナ部１５からの信号からＴＭＣＣ復号を行ない、ＴＭＣＣ部を取り出す。さらに、デインターリーブ回路１８では、階層処理、エネルギー逆拡散などを行う。そして、ＴＳ再生回路１９ではＴＳ信号３０に復号する。ＴＳ再生回路１９以降は、情報源復号化部５０でＴＳ信号３０のデコードを行う。
【００１４】
図２の情報源復号化部５０は次のような構成になっている。図２のＣＡデスクランブル回路２０では、有料放送の受信やＲＭＰ（著作権保護）放送のための施されているＣＡデスクランブルの暗号が解かれる。一般に日本国内では有料放送の受信の場合は、BＣＡSカード５６（ＩＣカード）などのＣＡモジュール２７を限定受信（有料放送の受信）を行なうためにＣＡスクランブル回路２０に挿入して、有料放送の受信契約を結んだ視聴者のみが放送を受信することが出来る。
【００１５】
これに対して、欧州では、図２のＣＡモジュール２７には、コモンインターフェース２９を通して、ＰＣＭＣＩＡカード５７が挿入される。国内の場合には、ＢＣＡＳカード５６では、限定受信のための関連情報（課金のためにかけられている暗号を解く鍵）だけがＣＡデスクランブル回路２０との間でやり取りされるが、ＰＣＭＣＩＡカード５７の場合には、関連情報だけで無くＴＳ信号３０そのものが、コモンインターフェース２９を通してＣＡモジュール２７に対してやり取りされる。
【００１６】
図２の暗号が解かれたＴＳ信号３０は、ＭＰＥＧ−２  ＤＥＭＵＸ回路２１において、ＳＩ（Service Information：番組配列情報）／ＰＳＩ（Program Specific Information：伝送制御情報）などにより映像情報、音声情報、文字情報の各コンポーネント信号に分離され、映像情報、音声情報、文字情報の各コンポーネント信号は、映像信号デコーダ回路２３、音声信号デコーダ回路２５、EPG・基本データデコーダ回路２２の各デコーダに対して、それぞれ送られる。
【００１７】
図２の映像信号デコーダ回路２３では、ＭＰＥＧ−２ビデオ復号が行われ、音声信号デコーダ回路２５ではＡＡＣ復号が行なわれる。そして、ＥＰＧ基本データデコーダ回路２２ではＢＭＬ方式の復号が行われＥＰＧ（Electric Program Guide：電子番組ガイド）等に復号される。
【００１８】
図３は、ＰＳＩ（伝送制御情報、伝達制御情報、番組配列情報）１００によるストリーム信号の分離を説明した図である。ＰＳＩ１００は、ＴＳ信号３０から、視聴者が選択した番組を構成する映像・音声・文字を取得するための情報であり、このＳＩ（番組配列情報）により、図３に示すように、ＴＳ信号３０は、映像情報、音声情報などのコンテンツ１０１と、電子番組ガイドあるいは番組情報であるＥＰＧ１０２と、本発明でも利用するダウンロードデータ１０３などに分離される。
【００１９】
このようにして、ＳＩ（番組配列情報）により、映像情報や音声情報のベースバンド信号に復号されたデータは、図１のＨＤＴＶ４、ＳＤＴＶ４のモニタに出力される。
【００２０】
また、この他に、図１に示す受信信号を外部のＤＶＣＲ６やパーソナルコンピューター６、ＨＤＤ６などの記録装置にデジタルデータで出力する高速デジタル入出力インターフェイスが存在する。さらに、図２に示すように、有料放送番組の視聴履歴データなどを放送局との間で公衆電話回線３２を介して双方向通信するためのモデム２６とリモートコントローラ受光部２８は、デコーダ回路３の一部を構成している。
【００２１】
次に、デジタル放送における信号の構造について説明する。デジタル放送における信号の構造は、次のように変換されていく。すでに述べた様に、図１に示すデジタル放送はデジタル放送用受信装置７で受信され、図２に示すようにＴＳ信号３０が生成される。このＴＳ信号３０は、図４に示すようなＭＰＥＧ−２Systemsで定められているＴＳ信号３０に準拠した多重信号形式を持ち、このＴＳ信号３０は、いろいろなチャネルの番組情報を含んだ固定長のＴＳパケット３３が連続した信号列である。したがって、図２のチューナ１０、１５では、このＴＳ信号３０の中から必要なチャネルの番組を含んだＴＳ信号３１と他のチャネルの番組のＴＳ信号３２を選別して、そして比較的短い固定長のＴＳパケット３３を取り出す。
【００２２】
取り出されたＴＳパケット３３にはヘッダ３４を先頭に付加して、ＴＳパケット３３とヘッダ３４は、合計１８８バイトとなる。このとき、先頭の４バイトがヘッダ３４であり、それに続く残りの１８４バイトは可変長の拡張ヘッダであるアダプテーションフィールドと、番組内容を伝送するペイロードである。
【００２３】
図４に示すような構造を持つＴＳパケット３３のペイロードが集まって成り立つＰＥＳパケット３５は可変長の信号構造であり、主に映像情報や音声情報などのストリーム信号を伝送するために用いられる。
【００２４】
図５に例示するように、ＭＰＥＧ−２のＴＳ信号３０には、ＴＳ信号３０に含まれている番組の映像情報や音声情報などのストリームの他に、その番組を構成しているＥＳ（エレメンタリーストリーム）４２などの番組要素との関係を表すテーブル４４の情報が含まれている。デジタル放送では、このＭＰＥＧ−２のテーブル４４は、番組を構成するための制御情報として利用している。テーブル４４が、ＰＥＳパケット４１のストリームでは、セクション４３と呼ばれるデータとなっている。すなわち、映像情報、音声情報、その他のＥＳ（映像）４２は、ＰＥＳパケット４１より生成される。一方、図３に示すＰＳＩ（伝送制御情報）などの制御情報のテーブル４４の場合には、セクション４３として符号化されている。したがって、図５に示すように、映像情報のＥＳ４２、音声情報のＥＳ４２、文字情報、その他からなるＥＳ４２、そしてテーブル４４からＰＥＳパケット４１とセクション４３が作られ、ＰＥＳパケット４１とセクション４３からＴＳパケット４０が作られる。そして、ＴＳパケット４０から図４のＴＳ信号３１が出来、さらに、いくつかの他のチャネルのＴＳ信号３０と組み合わされたＴＳ信号３０となる。
【００２５】
なお、セクション４３の場合は、複数のセクション４３を１つのＴＳパケット４０に収めて送られてくる場合もある。
【００２６】
表１は、ベースバンド信号の情報の形式である。
【表１】
2007295225.tif 000003
各情報（信号）と形式の関係は、表１のようになっており、映像情報、音声情報、字幕情報などのコンテンツに関係した情報はＰＥＳ形式であり、それ以外の制御情報はセクション形式である。このセクション形式は、図６に示すような構造をしており、先頭の８ビットがtable_id６０で種々なテーブルを識別する（図６はＳＤＴ（Service Description Tableの構造の例））。
【００２７】
図５の１つのセクション４３の最大値はセクション長から４０９６バイトと規定されるが、図６のセクションナンバー（section_number）６８を用いて、図５の１つのテーブル４４をマルチセクションで伝送することも可能であり、いくつかのセクション４３で１つのテーブル４４が構成されることもある。図５の各テーブル４４ではデータ部にある図６の記述子領域７２に、記述子と呼ばれる詳細情報を配置している。この記述子により柔軟にテーブル構成を変化させることが出来る。
【００２８】
番組のそれぞれの情報を配分する、図３のＰＳＩ(番組配列情報)１００は、表１に示すＰＡＴ（Program Association Table）、ＰＭＴ（Program Map Table）、ＣＡＴ(Conditional Ａccess Table)、ＮＩＴ（Network Information Table）、ＴＳＤＴ（ＴＳ Description table）などのテーブルがある。
【００２９】
表１に示すＰＭＴ（Program Map Table）は、チャネルを構成する映像信号、音声信号などのコンポーネントの位置を示すテーブルである。ＰＡＴ（Program Association Table）は、チャネルとＰＭＴ（Program Map Table）を関連付けるテーブルで、ＴＳ信号３０内に含まれるすべてのチャネルの番号と、それに対応するＰＭＴ（Program Map Table）を示す情報である。
【００３０】
表１に示すＮＩＴ（Network Information Table）は、放送の伝送路に関する情報を示しており、すべてのチャネルに関する受信周波数、変調方式などの物理的伝送パラメータを示している。
【００３１】
表１に示すＣＡＴ（Condition Access Table）は、有料放送などに利用される限定受信方式に関連する情報のうち、視聴者毎の契約情報などの個別情報（ＥＭＭ：Entitlement Management Message)を伝送するパケットを指定する。
【００３２】
ＴＳＤＴ（ＴＳ Description table）は、ＴＳ信号３０でサポートしている記述子領域７２に書き込む記述子の定義を行っている。
【００３３】
こうした制御情報のほかにダウンロードデータがある。このダウンロードデータの機能は、図１のデジタル放送用受信装置７が、コンピュータに似た機能を持つようになるにしたがって必要となったものであり、各家庭に設置されたデジタル放送用受信装置７のソフトウエアを更新するために考えられたものである。
【００３４】
本発明のデジタル放送用受信装置の実施形態では、このダウンロードデータの機能は、このダウンロードデータのサービス方式に準拠して、視聴者に有益な情報を送るものである。そして、このダウンロードデータの機能は、通常は図１のデジタル放送用受信装置７を制御する図２のシステムマイクロコンピュータ（マイコン）５３のソフトウエアを更新するためのものであるが、このデータ形式に基づいてコモンインターフェース２９を通してＰＣＩＣＩＡカード５７内のメモリ５１に蓄えるものである。
【００３５】
このダウンロードデータのダウンロードを行なうためには、表１のＳＤＴＴ（ソフトウエアダウンロードトリガテーブル）を送る必要がある。但し、セクション形式で送信されるダウンロードコンテンツの場合には、ＳＤＴＴ(ソフトウエアダウンロードトリガーテーブル)は使用しない。
【００３６】
このＳＤＴＴのデータ構造は、表２のようになっている。
【表２】
2007295225.tif 000004
表２におけるservice_idは、ダウンロードの際に、ダウンロードコンテンツが伝送されるサービスを識別するためのラベルである。
【００３７】
download_levelは、ダウンロードが強制的に行なわれるか任意で行なわれるかを示しており、本発明ではコマーシャル番組視聴時に視聴者に選択してもらう必要があるため、“００”を送出する（任意ダウンロード）。
【００３８】
schedule_time_shift_information（スケジュール時間シフト情報）は、受信確率を高めるため、時間をずらして放送する場合のためのものであり、この値が０の場合は複数のチャネルで同一ダウンロードコンテンツを同一時間に送出する場合に用いられる。１〜１２の場合は複数のチャネルで同一ダウンロードするコンテンツを各service_id毎に１〜１２時間の時間シフトを行って送出する場合の時間を表している。
【００３９】
本発明の実施形態では、schedule_time_shift_information（スケジュール時間シフト情報）は１５とし、単一のservice_idでダウンロードするコンテンツを送出する。
【００４０】
start_time（開始時間）でダウンロードデータを配信する開始時間を日本時間（ＪＳＴ）と日時を示す。duration（継続時間）で配信継続時間を示す。
【００４１】
表３は、ダウンロードコンテンツ記述子のデータ構造である。
【表３】
2007295225.tif 000005
descriptor（）には、表３で示すダウンロードコンテンツ記述子を格納する。表３においてrebootでダウンロード終了時に受信機を再起動する必要があるか否かを指示するものである。本発明では“０”とし、再起動は行なわない。
【００４２】
add_onは既存のモジュールの書き換えなのか、追加なのかを示すが、“１”として追加データであることを示す。
【００４３】
ダウンロードのためのコンテンツは、データカルーセルまたはセクションテーブルで伝送される。ダウンロードコンテンツがデータカルーセル伝送方式の場合には、ダウンロードコンテンツの本体は、ＤＳＭ−ＣＣデータカルーセルのＤＤＢ（Download Data Blockメッセージ）を用いて伝送される。データフォーマットについてはコンテンツの内容ごとに決める必要がある。
【００４４】
表４は、ＤＩＩのデータ構造である。
【表４】
2007295225.tif 000006
ダウンロードするデータの情報は。ＤＳＭ−ＣＣデータカルーセルの表４に示すＤＩＩ(Download InfoIndicationMessage)メッセージ内のModule_Info_Byteに記述する。
ダウンロードのためのデータをセクション形式で伝送する場合はＣＤＴ（Common Data Table）を用いて伝送する。
【００４５】
表５は、ＣＤＴのデータ構造である。
【表５】
2007295225.tif 000007
表５のＣＤＴは、そのテーブルを受信するすべてのデジタル放送用受信装置７に対して、メモリに記憶するデータをセクション形式で伝送するためのものである。
【００４６】
ＣＤＴのデータ構造を表５に示す。
download_data_id（ダウンロードデータ識別）は１６ビットのフィールドで、ダウンロードされるデータを特定する。ダウンロードデータ識別は、ダウンロードするデータの内容や目的に応じて記述子などによりその位置を示す。
【００４７】
以上のようにして、放送局から送られてきたダウンロードデータに対し、図１のデジタル放送用受信装置７では、次のようにして視聴者に操作してコマーシャル番組から有益な情報を取得する。図７を参照しながら、視聴者に操作してコマーシャル番組から有益な情報を取得する手順の例を説明する。図７は、コマーシャル番組において、ダウンロードデータを取得する場合のフローチャートである。図７は、ステップＳ１からステップＳ７を有している。
【００４８】
図２のリモートコントローラ受光部２８は、テンキー５５を始めとする、各種キーを持つリモートコントローラ５４の赤外線送信部５８から送信される赤外線を受信し、受信した信号をシステムマイクロコンピュータ５３に出力する。システムマイクロコンピュータ５３は、この出力信号により、視聴者はリモートコントローラ５４で選択した内容を知ることが出来る。
【００４９】
図２のシステムマイクロコンピュータ５３は、図７に示す手順で、コマーシャル番組から有用な情報が含まれたダウンロードデータを、コモンインターフェース２９を通して、ＰＣＭＣＩＡカード５７内のメモリ５１に記録させる。まず、図７のステップＳ１として、図１のデジタル放送受信装置７はデジタル放送の受信を開始する。
【００５０】
次に、図７のステップＳ２では、図２に示すシステムマイクロコンピュータ５３は、現在受信している番組がコマーシャル番組であるか否かを判定する。コマーシャル番組である場合は、ステップＳ３に移り、コマーシャル番組で無い場合は、ステップＳ２の最初に戻る。
【００５１】
図７のステップＳ３では、図２に示すシステムマイクロコンピュータ５３は、現在受信している番組がコマーシャル番組である場合は、ダウンロードすることが出来る有益な情報があるか否かを判定する。ダウンロードデータがある場合は、ステップＳ４に移る。ダウンロードデータが無い場合はステップＳ２の最初に戻る。
【００５２】
図７のステップＳ４では、図２に示すシステムマイクロコンピュータ５３は、ダウンロードデータがある場合に視聴者にダウンロードデータを取得するか否かの意向を聞くために視聴者に対してＨＤＴＶ４やＳＤＴＶ４などのモニタの画面にダウンロードデータがあること、それを取得するかの質問を表示する。
【００５３】
図７のステップＳ５では、図２に示すシステムマイクロコンピュータ５３は、視聴者からのリモートコントローラ５４を通しての応答を待ち、視聴者がダウンロードデータを取得する意志がある場合には、ステップＳ６に進む。視聴者がダウンロードデータを取得する意志が無い場合、または、ある時間間隔を待っても視聴者から応答が無い場合には、ステップＳ２の最初に戻る。
【００５４】
図７のステップＳ６では、図２に示すシステムマイクロコンピュータ５３は、コモンインターフェース２９に対して、ＰＣＭＣＩＡカード５７が挿入されているか否かを判断する。ＰＣＭＣＩＡカード５７が挿入されている場合は、ステップＳ７に進み、ＰＣＭＣＩＡ５７カードが挿入されていない場合は、ステップＳ８に移る。
【００５５】
図７のステップＳ７では、図２に示すシステムマイクロコンピュータ５３は、ＰＣＭＣＩＡカード５７のメモリ５１にダウンロードデータを記録させる。
【００５６】
ステップＳ８では、図２に示すシステムマイクロコンピュータ５３は、画面上にＰＣＭＣＩＡカード５７がコモンインターフェース２９に挿入されていない旨を表示し、次のステップＳ２の始めに戻る。
【００５７】
このようなコマーシャル番組においてダウンロードデータを取得するループは、視聴者にとって有用な情報をダウンロードデータとするコマーシャル番組が放送されている間、実施される。
【００５８】
このようにして、コマーシャル番組のダウンロードデータとして取得する有用なデータであるが、例えば、ゲームソフトのコマーシャルであれば、ロールプレイングゲームのコマーシャル番組だけでしか入手できない新しいシーン、レーシングゲームならば新しいレース場、ポケットモンスター（ポケモン：登録商標）などのようなゲームならば、新たなキャラクターである。
【００５９】
本であれば、その本の一部のテキストデータであり、映画であれば、その代表的なシーンの画像ファイルや挿入歌の音楽データである。スーパーや量販店であれば、安売り品のリストであり、食料品や調理機器のメーカーであれば調理メニューである。自動車のメーカーであれば、その自動車の車内からの試乗風景や、その自動車の関連グッズの応募のためのポイントである。
【００６０】
カメラであれば美しい風景写真の画像データや写真アルバムの編集ソフトである。化粧品であれば、商品の使い方の画像データやモデルの画像データである。住宅、マンションならば、室内のシミュレーションデータである。
【００６１】
その他、コマーシャルソングの音楽データ、イメージキャラクターの俳優の画像データである。特別な情報やプレゼントを得ることができるホームページのアドレスなどが考えられる。
【００６２】
このようなコマーシャル情報は何時放送されるか不明であるから、視聴者は、常にコマーシャル番組の画面や字幕に注目していなければならない。ＤＶＣＲ６やＨＤＤ６などに記録した場合には、映像情報や音声情報は記録されるが、ダウンロードデータは、放送に盛り込まれるものであり、取得することは出来ない。
【００６３】
したがって、視聴者は放送しているコマーシャル番組に注目する必要がある従来技術ではコマーシャル番組を視聴してもその提供する企業の商品の情報を得られるだけであり、視聴者から見ると同じ内容のものが何度も放送されており、視聴してもメリットが少なかった。
【００６４】
本発明は、このような状況を鑑みてなされたものであり、コマーシャル番組による商品の宣伝を確実に視聴者に伝えるためのものである。
【００６５】
このようにコマーシャル番組による商品の宣伝を確実に視聴者に伝えるために、デジタル放送を送信する際に、コマーシャル番組を含んだ図２ないし図４に示すＴＳ信号３０の中には、コマーシャル番組の映像情報、音声情報、文字情報などの他に、視聴者に利益となる情報をダウンロードデータ１０３として付加して放送する。そして、図１のデジタル放送用受信装置７では、視聴者が有益な情報は、図２のコモンインターフェース２９を通して、放送局からのＴＳ信号３０から取り出して、コモンインターフェース２９に接続されているＰＣＭＣＩＡカード５７のメモリ５１に蓄積して、その蓄積した情報により、デジタル放送用受信装置７やゲーム機６、パソコン６等で行えるゲームのプログラムや登場人物のキャラクター、その他の有益な情報を利用することが出来る。
【００６６】
これにより、視聴者は、有益な情報を得るために出来る限りたくさんのコマーシャル番組を視聴することになる。
【００６７】
本発明のデジタル放送用受信装置の実施形態では、映像情報や音声情報、文字情報、そして、これらの情報を組み合わせるための制御情報で構成され、放送手段により送信するデジタル放送のトランスポートストリーム（ＴＳ）信号３０には、特にコマーシャル番組を視聴することによりメリットが得られる情報をダウンロードデータ１０３として付加して放送し、放送された情報を欧州等で有料放送の限定受信のために、トランスポートストリーム（ＴＳ）信号をデジタル放送用受信装置７の外部に取り出すためのコモンインターフェース２９を用いて取り出し、コマーシャル番組のダウンロードデータ１０３によって、視聴者に有益な情報を得ることが出来る。
【００６８】
通常では、無料放送は、スポンサーが商品の宣伝のためにコマーシャル番組を送ることにより、視聴者が無料で視聴することが可能となったものであり、このコマーシャルを視聴者が視聴しなくなった場合、スポンサーがその宣伝効果に疑問を持ち、番組制作費を削減した場合放送内容が劣化する重要な問題が発生する。
【００６９】
しかし、本発明のデジタル放送用受信装置の実施形態は、ストリーム信号と同期して有用な情報を送ること、そして、現行品でも容易に付加出来る形でその有益情報を取得できるようにし、より多くのコマーシャル番組の視聴を促す。
【図面の簡単な説明】
【００７０】
【図１】本発明のデジタル放送用受信装置の実施形態を示すブロック図である。
【図２】図１のデコーダ回路のブロック図である。
【図３】ＰＳＩによるストリーム信号の分離を説明した図である。
【図４】デジタル放送のストリーム信号の構成図である。
【図５】デジタル信号の各ストリームの構成図である。
【図６】セクション構造の構成図である。
【図７】コマーシャル番組において、ダウンロードデータ１０３を取得する場合のフローチャートである。
【符号の説明】
【００７１】
１：衛星放送アンテナ
２：コンバーター
３：デコーダ
４：ＨＤＴＶ、ＳＤＴＶ
５：地上受信アンテナ
６：ＤＶＣＲ、ＨＤＤ、パーソナルコンピューター、ゲーム機
７：デジタル放送用受信装置
１０，１５：チューナ
２９：コモンインターフェース
３０：ＴＳ信号
５１：ダウンロードデータ用のメモリ
５３：システムマイクロコンピュータ
５４：リモートコントローラ
５７：ＰＣＭＣＩＭカード
１０３：ダウンロードデータ
【図１】
2007295225.tif 000008
【図２】
2007295225.tif 000009
【図３】
2007295225.tif 000010
【図４】
2007295225.tif 000011
【図５】
2007295225.tif 000012
【図６】
2007295225.tif 000013
【図７】
2007295225.tif 000014